(57)【要約】【課題】  購入後に、左右方向の端の１列の鶏卵を使用する度ごとに、鶏卵容器の嵩が小さくなって、残り鶏卵の数に応じた嵩だけに容器を縮小させておくことができ、限られた冷蔵庫内の狭い空間を有効に利用することができるようにした鶏卵包装容器の提供。【解決手段】  左右方向に複数列、前後方向に２段または３段の鶏卵収容凹部１１を形成した容器本体１と、閉蓋時においてこれらの鶏卵収容凹部１１の上部を覆う覆い凹部２１を形成した蓋体２と、これら両体１，２を折り畳み自在に連結する折り曲げ部３とからなる容器Ｐで、左右方向に隣り合う前記鶏卵収容凹部１１，１１の各凹部間１２と、閉蓋時にこれらの各凹部間１２に対向する蓋体２の対向箇所２２とを通る切断線４であって、容器本体１の遊端側外周縁部１３の外端から、折り曲げ部３を経て、蓋体２の遊端側外周縁部２３の外端に至る、一連に続く容器の輪切り切断線４が形成されているもの。【選択図】        図１
0003133709.tif 000002
【実用新案登録請求の範囲】
【請求項１】
合成樹脂シート素材を用いて、左右方向に複数列、前後方向に２段または３段の鶏卵収容凹部(11)を形成した容器本体(1)と、閉蓋時においてこれらの鶏卵収容凹部(11)の上部を覆う覆い凹部(21)を形成した蓋体(2)と、これら両体(1)，(2)を前後方向において折り畳み自在に連結する折り曲げ部(3)とからなる容器(P)であって、
左右方向に隣り合う前記鶏卵収容凹部(11)，(11)の各凹部間(12)と、閉蓋時においてこれらの各凹部間(12)に対向する蓋体(2)の対向箇所(22)とを通る切断線(4)であって、
容器本体(1)の遊端側外周縁部(13)の外端部分から、前記折り曲げ部(3)を経て、蓋体(2)の遊端側外周縁部(23)の外端部分に至る、一連に続く輪切り切断線(4)が形成されている鶏卵包装用容器。
【請求項２】
容器(P)の輪切り切断線(4)が、所定幅(w)を隔てた２本のミシン目状鎖線(c)によって形成されている請求項１記載の鶏卵包装用容器。
【請求項３】
容器本体(1)と蓋体(2)との何れか一方または双方の、遊端側外周縁部(13)，(23)と交差する外周縁部(14)，(24)に吊り下げ展示用穴(5)が形成されている請求項１または２記載の鶏卵包装用容器。
【請求項４】
左右方向に隣り合う鶏卵収容凹部(11)，(11)の各凹部間(12)及び／または左右方向に隣り合う覆い凹部(21)，(21)の各凹部間(22)が、各凹部(11)，(11)，(21)，(21)間を連結する架橋部(6)を備えた構造とされている請求項１乃至３の何れかに記載の鶏卵包装用容器。
【請求項５】
容器本体(1)及び／または蓋体(2)が、その外側面に、左右方向に沿った連結帯(7)を備えている請求項１乃至４の何れかに記載の鶏卵包装用容器。
【考案の詳細な説明】
【技術分野】
【０００１】
本考案は、合成樹脂製のシート素材を膨出させて、鶏卵を個別に収容するための多数の凹部を形成してある鶏卵包装用の容器に関するものである。
【背景技術】
【０００２】
このような合成樹脂シート素材を膨出成形させて各凹部に鶏卵を収容させて販売に供する鶏卵包装用の容器は、一般に周知されている。
【０００３】
このような従来の鶏卵包装用容器は、その多くが、例えば鶏卵を１０個包装する容器として、鶏卵収容凹部を左右方向に５列、前後方向に２段形成してあるものとし、これらの各凹部に鶏卵を１個ずつ合計１０個収容して包装してある。また、数は少ないが鶏卵収容凹部を左右方向に３列、前後方向に２段、合計６個形成した鶏卵６個包装用容器も知られている。
【０００４】
近来、我が国では、殊に都会では、独身生活者が多く、他方、老人の一人生活者の数も急激に増加している。また、夫婦二人だけの生活者も年々増加しつつある。このような環境下にあって、栄養価が高く、多種のミネラル類やビタミン類を含み、良質のタンパク質に富んだ鶏卵が、戦後社会の優等生といわれるほどに極めて低価格で入手可能な社会になっている。
【０００５】
このように鶏卵は、低価格で入手可能な食品であるため、１個、１個を個包装して販売したのでは利益が少なすぎて商売にならないことと、売れ残って少し期間が経つと新鮮さを失い、消費期限切れとなって販売できなくなるという難点を有していることのためか、現在では、別紙の特許文献１，２にみられるような、鶏卵１０個包装用の容器が市場の大半を占めている。なお、このような鶏卵１０個包装用の容器にも、引用文献１の図１，２や、引用文献２の図１，２に記載のように、蓋体にも個々の鶏卵の上部を覆う個別凹部を形成したものと、引用文献１の図４，５や、引用文献２の図７，８に記載のように、蓋体の形状を、鶏卵の上部を個々に覆う個別凹部に代えて、複数個の鶏卵の上部を覆う広幅の凹部に形成してあるものとがある。本考案にいうところの鶏卵包装用容器は、これらの何れの形態のものをも対象とする。
【特許文献１】特開２００６−８９０５２号公報
【特許文献２】特開２００６−３３５４０３号公報
【考案の開示】
【考案が解決しようとする課題】
【０００６】
このような容器に包装されて現在販売されている鶏卵は、前記独身生活者や老人の一人生活者にあっては、１０個全部を食するには相当の時日を要するため、冷蔵庫内に個別に取り出して保存しておく場合には、新鮮さを失わせ、サルモネラ菌の繁殖促進につながる危険性があり、また、鶏卵を容器に入ったまま冷蔵庫内に保存する方法の場合は、幾個かを使用した後であっても、また、残り数が少なくなっても、容器が購入時と同じ嵩を保持しているため、嵩張って、冷蔵庫内の限られた狭い空間を有効利用することができないという点で決して好ましい保存手段とはいえない。
【０００７】
そこで、本考案者は、鶏卵包装容器が、購入後に幾つか使用する度ごとに、鶏卵を２個（前後３段包装の場合は３個）、より具体的には、左右方向の端の１列の鶏卵を使用する度ごとに、鶏卵容器の嵩が小さくなって、残り鶏卵の数に応じた小さな嵩に縮小させておくことができるようにし、限られた冷蔵庫内の狭い空間を有効に利用することができるようにした容器をここに提供しようとするものである。
【課題を解決するための手段】
【０００８】
該目的を達成するために講じた本考案にいう鶏卵包装用容器の構成を、実施例の説明に用いた符号を使用して説明すると、合成樹脂シート素材を用いて、左右方向に複数列、前後方向に２段または３段の鶏卵収容凹部１１を形成した容器本体１と、閉蓋時においてこれらの鶏卵収容凹部１１の上部を覆う覆い凹部２１を形成した蓋体２と、これら両体１，２を前後方向において折り畳み自在に連結する折り曲げ部３とからなる容器Ｐであって、左右方向に隣り合う前記鶏卵収容凹部１１，１１の各凹部間１２と、閉蓋時においてこれらの各凹部間１２に対向する蓋体２の対向箇所２２とを通る切断線４であって、容器本体１の遊端側外周縁部１３の外端部分から、前記折り曲げ部３を経て、蓋体２の遊端側外周縁部２３の外端部分に至る、一連に続く容器Ｐの輪切り切断線４が形成されている構成としたものである。
【考案の効果】
【０００９】
本考案は、このような構成としたものであるから、購買者が例えば８個なり１０個なりの鶏卵を、個包装したものよりも割安で購入し、購入後における使用時に、左右方向に１列分２個、時に３個使用する度ごとに、１列分の容器を、刃物等を使用することなく、指先で切断線に沿って輪切り状に切断分離することにより、容器を常に残余個数に見合った大きさに小さくしておくことができるので、冷蔵庫内の狭い空間を常に有効に利用することができる利点がある。
【００１０】
また、鶏卵は使用するものだけを分離して取り出し、後日の使用分については容器内に入ったままとしておくことができるので、後日使用分の鶏卵には手を触れる必要がないため、鶏卵の新鮮さを可及的に保持させておくことができ、また、鶏卵が冷蔵庫内の他の食品に直接触れることを確実に防止できるので、サルモネラ菌等の庫内繁殖を防止できる利点もある。
【考案を実施するための最良の形態】
【００１１】
本考案を実施するに当たっては、容器本体１と蓋体２とにわたる容器Ｐの輪切り切断線４を、所定幅ｗを隔てた２本のミシン目状鎖線ｃによって形成してあるものとして実施することにより、この輪切り切断線４を指先で容易に引きちぎり切断することができるようにすることが好ましい。
【００１２】
また、容器本体１と蓋体２との何れか一方または双方の、遊端側外周縁部１３，２３と交差する外周縁部１４，２４に吊り下げ展示用穴５を形成してある構造のものとして実施することにより、容器Ｐに包装した鶏卵を吊り下げ状態として販売できるようにし、販売時の破卵を最小限に抑制することができるようにすることも好ましい。
【００１３】
また、左右方向に隣り合う鶏卵収容凹部１１，１１の各凹部間１２及び／または左右方向に隣り合う鶏卵覆い凹部２１，２１の各凹部間２２が、各凹部１１，１１，２１，２１間を連結する架橋部６を備えている構造として実施することにより、鶏卵を収容した容器の左右方向の強度を増大させ、破卵の発生率を最小限に抑えることができるようにして実施することも好ましい。
【００１４】
更には、蓋体２及び／または容器本体１を、その外側面に、左右方向に沿った連結帯７を備えている、即ち貼着してある構造のものとし、鶏卵を収容した容器の左右方向の強度を増大させて、破卵の発生率を抑えることができるようにして実施することも好ましい実施形態である。
【００１５】
本考案にいうところの鶏卵包装用容器を形成する合成樹脂シート素材は、従来から用いられているシート素材であればどのような素材であっても使用できるが、公害防止の立場から非塩素系の素材であることが望ましい。その一例としてＰＥＴ（ポリエチレンテレフタレート）樹脂を使用すると廃材リサイクルが可能であり、焼却処理する場合でも発熱量が少ないので、焼却炉の損傷を抑え、ダイオキシンのような有害物質の生成を防いで公害問題の発生を抑制し得る点で好ましい。
【実施例】
【００１６】
以下本考案の詳細を実施例図面を参照しながら説明する。図１は本考案の第１実施例の容器を示す開蓋状態の平面図、図２は同容器の容器本体側からみた正面図、図３は右側面図である。
【００１７】
この第１実施例に示した本考案の鶏卵包装用容器Ｐは、前記ＰＥＴ樹脂製のシートを周知の真空成形手段及び／または圧空成形手段によって膨出成形したもので、図１において下方に位置する容器本体１には、左右方向に４列、前後方向（同図において上下方向）に２段の合計８個の鶏卵収容凹部１１を形成してあり、蓋体２にも、閉蓋時においてこれらの各鶏卵収容凹部１１と対応する箇所に、左右方向に４列、前後方向に２段の合計８個の鶏卵の上部を覆う上部覆い凹部２１を形成してある。また、これらの両体１，２は、同図１において上下に配置した隣接部分に折り畳み自在に連結する折り曲げ部３で一体的に連接形成されている。
【００１８】
而して、該容器Ｐは、図１に明らかなように、容器本体１における左右方向に隣り合う二つの鶏卵収容凹部１１，１１どうしの各凹部間１２の部分と、蓋体２における左右方向に隣り合う二つの覆い凹部２１，２１の各凹部間２２の部分を、該実施例の容器にあっては扁平で平坦なものとし、容器本体１の遊端側外周縁部１３の外端から、前記各凹部間１２の部分と、折り曲げ部３を通り、蓋体２の各凹部間２２の部分を通って遊端側外周縁部２３の外端に至るまで一連に続く、容器Ｐの輪切り切断線４を形成してある。より具体的には、この輪切り切断線４は、図１に示したように所定幅ｗ、実質的には３〜４ｍｍ幅とした間隔を隔てて平行する２本のミシン目状鎖線ｃ，ｃの間に形成してある。このミシン目状鎖線ｃ，ｃは例えばくの字形等の他の一般的な切り取り波線や、切断用糸等による切断手段に代えても実施することができる。
【００１９】
このようにした容器Ｐに包装した鶏卵の購買者は、この輪切り切断線４部分の先端部を指先で摘んで上方にまたは下方に向けて引きちぎることにより、容器を容易に輪切り状に切断分離することができるようにしてある。
【００２０】
図４は、本考案の第２実施例の容器Ｐを示したもので、この実施例に示した容器Ｐは、容器本体１と蓋体２と（場合によっては何れか一方でもよい）の、前記遊端側外周縁部１３，２３と交差する、図において左側の外周縁部１４，２４を左外側方向に突出する広幅に形成し、この広幅とした部分に、吊り下げフックに差し込む吊り下げ展示用穴５を形成してある構造としたものである。このようにして実施することにより、容器Ｐ内に包装した鶏卵を吊り下げ状態として販売できるようにしたものである。その他の点については、前記第１実施例のものと同様に形成したものである。
【００２１】
図５及び図６は、本考案の第３実施例にいう容器Ｐを示したもので、この実施例に示した容器Ｐは、容器本体１における左右方向に隣り合う鶏卵収容凹部１１，１１の各凹部間１２及び蓋体２における左右方向に隣り合う鶏卵覆い凹部２１，２１の各凹部間２２に、これらの各凹部１１，１１，２１，２１間を連結する架橋部６を形成してある構造としたものである。このようにすることにより、鶏卵を収容した場合に容器が左右方向において撓む性質を改善し、容器の左右方向の強度を増大させるようにしたものである。なお、ここにいうところの架橋部６は、必ずしも容器本体１と蓋体２との両方に形成する必要があるものではなく、何れか一方、例えば蓋体２のみに形成してあるものとして実施してもよい。
【００２２】
更に、図７及び図８は、本考案の第４実施例の容器Ｐを示したもので、この実施例に示した容器Ｐは、蓋体２と容器本体１とにおける鶏卵覆い凹部２１及び鶏卵収容凹部１１の底板部分２１ａ及び１１ａをそれぞれ平坦部に形成し、これらの底板部分２１ａ及び１１ａの外側面に、図７において太い仮想線（２点鎖線）で示したように、容器Ｐの左右方向に沿って薄紙製の連結帯７を貼着してある構造としたものである。この連結帯７の貼着目的は、容器の左右方向の撓みを阻止し強度を増大させるための手段である。言うまでもなく、この薄紙製の連結帯７は、容器Ｐを輪切り切断線４に沿って引きちぎり切断するときに引きちぎられる切断線４によって同時に切断されるものである。なお、この薄紙製の連結帯７の場合も、図示のように、必ずしも容器本体１と蓋体２との両方に貼着しなければならないものではなく、何れか一方、例えば蓋体２のみに貼着して実施してもよい。
【００２３】
また、図９は、本考案の第５実施例の容器Ｐを示した閉蓋状態の斜視図である。該実施例に示した容器Ｐは、蓋体２における鶏卵覆い凹部２１の形状を、先に記載した各実施例の容器のように、容器本体１における鶏卵収容凹部１１に対応して、凹入部を個々に形成した形態のものではなく、容器本体１における鶏卵収容凹部１１の全部に対応する大きさを備えた一連の一つの凹部２１に形成したものである。
【００２４】
而して、該実施例に示した容器Ｐにあっても、同図９に示したように、蓋体２における遊端側外周縁部２３の外端部分から、該遊端側外周縁部２３に沿って立ち上がる遊端側傾斜壁２１ｂを立ち上がって、平坦な天板２１Ａを通り抜けて、更に該天板２１Ａの、図において奥端から折り曲げ部３側に向かって降下する折り曲げ部傾斜壁２１ｃを通って折り曲げ部３に至る２本のミシン目状鎖線ｃの間に形成された容器の輪切り切断線４が形成され、前記各実施例において説明した折り曲げ部３を通る容器本体１側の切断線４に接続している。
【００２５】
図１０は、該第５実施例に示した容器Ｐの変形実施例の容器の閉蓋状態の斜視図を示す第６実施例であって、該容器Ｐは、蓋体２における鶏卵覆い凹部２１の形状を、左右方向における各列ごとに一つの凹部２１を形成してある構造としたものである。そして、これらの各凹部２１，２１の間の部分２２は、遊端側外周縁部２３と同様高さに形成してありその両側に２本のミシン目状鎖線ｃが形成され、その間に輪切り切断線４が形成されている構造としたものである。なお、同図１０において、太い２点鎖線で示したように、各凹部２１の天板２１Ａに、輪切り切断線４の引きちぎり作用時に、同時に容易に切断可能な薄紙製のラベルＬを貼付し、容器の左右方向における撓み性の改善に寄与させるようにしてもよい。
【００２６】
本考案は、これらの実施例のようにして実施してもよいものである。また、言うまでもなく、後者の第６実施例に示した各凹部２１，２１の間の部分２２を、前記図５，６の第３実施例に示したように、架橋部６を形成して、鶏卵を収容した場合の容器の左右方向における撓み変形性を改善し、左右方向の強度を増大させるようにしてもよい。
【００２７】
以上本考案の代表的と思われる実施例について説明したが、本考案は必ずしもこれらの実施例構造のもののみに限定されるものではなく、本考案にいう構成要件を備え、本考案にいう目的を達成し、以下にいう効果を有する範囲内において適宜改変して実施することができるものである。
【産業上の利用可能性】
【００２８】
本考案は、鶏卵を個別包装したもののように割高につくことなく、通常価格に近い廉価で鶏卵を入手できるものでありながら、購入後は、必要個数だけの使用に伴って容器の嵩を小さくして庫内保存しておくことができるので、独身生活者や一人暮らし老人にとって大変都合がよいため、市場において大いに歓迎されるものと思われる。
【図面の簡単な説明】
【００２９】
【図１】第１実施例の容器の開蓋状態を示す平面図。
【図２】同容器の正面図。
【図３】同容器の右側面図。
【図４】第２実施例の容器の開蓋状態を示す平面図。
【図５】第３実施例の容器の開蓋状態を示す平面図。
【図６】同容器の正面図。
【図７】第４実施例の容器の開蓋状態を示す平面図。
【図８】同容器の正面図。
【図９】第５実施例の容器の閉蓋状態を示す斜視図。
【図１０】第６実施例の容器の閉蓋状態を示す斜視図。
【符号の説明】
【００３０】
１  容器本体
１１  容器本体の鶏卵収容凹部
１２  隣り合う鶏卵収容凹部の間の部分
１３  遊端側外周縁
１４  直交側の外周縁
２  蓋体
２１  蓋体の鶏卵覆い凹部
２１ａ  蓋体の天板
２２  隣り合う鶏卵覆い凹部の間の部分
２３  遊端側外周縁
２４  直交側の外周縁
３  折り曲げ部
４  切断用線
Ｐ  容器
ｃ  引きちぎり用線
【図１】
0003133709.tif 000003
【図２】
0003133709.tif 000004
【図３】
0003133709.tif 000005
【図４】
0003133709.tif 000006
【図５】
0003133709.tif 000007
【図６】
0003133709.tif 000008
【図７】
0003133709.tif 000009
【図８】
0003133709.tif 000010
【図９】
0003133709.tif 000011
【図１０】
0003133709.tif 000012